(57)【要約】【課題】玄関などの狭いスペースにも設置しやすい収納用ボックスの提供。【解決手段】収納用ボックス１００は、中空箱形のケース本体１１０に、蓋１５０がヒンジ１６０を介して取り付けられたものである。蓋１５０がケース本体１１０に対して回動して、開口１１３を開閉する。ケース本体１１０内にトレイ保持機構１３０を介して平板形のトレイ１９０が配置されている。トレイ保持機構１３０は、トレイ１９０の第１側面１９１及び第２側面１９２にそれぞれ突設された一対の支持ピン１９８，１９９と、収納用ボックス１００の背面部１１１に設けられた一対のボス２１１〜２１４とを有する。一対のボス２１１〜２１４は、各支持ピン１９８，１９９を収容保持する。トレイ１９０の載置面１９６の方向をケース本体１１０に対して相対的に変化させるべく、複数対のボス２１１〜２１４が背面部１１１の異なる位置に設けられている。【選択図】図３
2013023927.tif 000002
【特許請求の範囲】
【請求項１】
開口が設けられた前面部、背面部及びこれらの周縁に連続する周面部を有する中空箱形のケース本体と、
上記周面部にヒンジを介して取り付けられ、上記ケース本体に対して回動することにより上記開口を開閉する蓋部材と、
トレイ保持機構を介して上記ケース本体内に配置された平板形のトレイとを備え、
上記トレイは、上記背面部の内面と対向する後面並びに当該後面の両端に連続する第１側面及び第２側面を有し、
上記トレイ保持機構は、
上記第１側面及び第２側面にそれぞれ突設された一対の支持ピンと、
上記背面部に設けられ、上記各支持ピンを収容保持する一対のボスとを有し、
上記トレイの載置面の方向を上記ケース本体に対して相対的に変化させるべく、複数対の上記ボスが上記背面部の異なる位置に設けられている収納用ボックス。
【請求項２】
上記支持ピンは、当該支持ピンの軸方向を中心として回動自在な状態で上記ボスに支持されている請求項１に記載の収納用ボックス。
【請求項３】
上記トレイの第１側面及び第２側面の少なくとも一方に当該トレイの側縁を区画するリブが立設されており、当該リブは、少なくとも一つの切欠を備えている請求項１又は２に記載の収納用ボックス。
【請求項４】
上記トレイの前面に当該トレイの前縁を区画するリブが立設されている請求項１から３のいずれかに記載の収納用ボックス。
【請求項５】
上記後面が上記背面部と当接することにより、上記トレイの載置面は、上記後面から前面に向かって登り傾斜面となっている請求項１から４のいずれかに記載の収納用ボックス。
【請求項６】
上記ケース本体の背面部にマグネットが設けられている請求項１から５のいずれかに記載の収納用ボックス。
【請求項７】
上記蓋部材の外面の少なくとも一部が鏡面である請求項１から６のいずれかに記載の収納用ボックス。
【請求項８】
上記蓋部材の内面に、弾性的に伸縮自在な帯が張設されている請求項１から７のいずれかに記載の収納用ボックス。
【請求項９】
上記背面部の内側に少なくとも一つのフックが立設されている請求項１から８のいずれかに記載の収納用ボックス。
【請求項１０】
開口が設けられた前面部、背面部及びこれらの周縁に連続する周面部を有する中空箱形のケース本体と、
上記周面部にヒンジを介して取り付けられ、上記ケース本体に対して回動することにより上記開口を開閉する蓋部材と、
トレイ保持機構を介して上記ケース本体内に配置された平板形のトレイとを備え、
上記トレイは、上記背面部の内面と対向する後面並びに当該後面の両端に連続する第１側面及び第２側面を有し、
上記トレイ保持機構は、
上記第１側面及び第２側面にそれぞれ突設された一対の支持ピンと、
上記背面部に設けられた保持孔と、
上記支持ピンを保持した状態で上記保持孔と係合する保持器とを有し、
上記トレイの載置面の方向を上記ケース本体に対して相対的に変化させるべく、複数対の上記保持孔が上記背面部の異なる位置に設けられている収納用ボックス。
【請求項１１】
上記支持ピンは、当該支持ピンの軸方向を中心として回動自在な状態で上記保持器に保持されている請求項１０に記載の収納用ボックス。
【請求項１２】
上記トレイの第１側面及び第２側面の少なくとも一方に当該トレイの側縁を区画するリブが立設されており、当該リブは、少なくとも一つの切欠を備えている請求項１０又は１１に記載の収納用ボックス。
【請求項１３】
上記トレイの前面に当該トレイの前縁を区画するリブが立設されている請求項１０から２のいずれかに記載の収納用ボックス。
【請求項１４】
上記後面が上記背面部と当接することにより、上記トレイの載置面は、上記後面から前面に向かって登り傾斜面となっている請求項１０から１３のいずれかに記載の収納用ボックス。
【請求項１５】
上記ケース本体の背面部にマグネットが設けられている請求項１０から１４のいずれかに記載の収納用ボックス。
【請求項１６】
上記蓋部材の外面の少なくとも一部が鏡面である請求項１０から１５のいずれかに記載の収納用ボックス。
【請求項１７】
上記蓋部材の内面に、弾性的に伸縮自在な帯が張設されている請求項１０から１６のいずれかに記載の収納用ボックス。
【請求項１８】
上記背面部の内側に少なくとも一つのフックが立設されている請求項１０から１７のいずれかに記載の収納用ボックス。
【発明の詳細な説明】
【技術分野】
【０００１】
本発明は、主にマンションの玄関スペースに設置され、小物類を収納することができる収納用ボックスの構造に関する。
【背景技術】
【０００２】
日常生活において、筆記具等のステーショナリーその他の小物類、あるいは郵便受けに入れられた郵便物が、玄関スペース、典型的には靴箱の上などに放置されることが多い。靴箱の上などに放置された郵便物は、他の物品に紛れてしまったり、床に落下するなどして紛失の可能性があり、また、玄関ドアの鍵の保管場所が決まっていなければ、外出時に鍵が見つからずに外出が遅れてしまったりするおそれがある。そのため、玄関スペースに整理された状態で効率良く物品を収納するという潜在的な需要が存在している。
【０００３】
玄関スペースに物品を収納するための発明として、玄関ドアに収納用ボックスが一体的に形成されたもの（特許文献１参照）、あるいは、玄関ドアに取り付けられるドア用シューズケースがある（特許文献２参照）。
【先行技術文献】
【特許文献】
【０００４】
【特許文献１】特開２００３−５６２６０号公報
【特許文献２】特開２００５−３４４４８８号公報
【発明の概要】
【発明が解決しようとする課題】
【０００５】
一般に、小物類を収容する収納器具は、内部に収納室が区画された本体を有し、この本体に対して蓋が蝶番等を介して取り付けられている。この蓋が本体に対して回動することによって収納室が開閉され、小物類が出し入れされる。このような収納器具が玄関に設置される場合は、蓋が回動するための一定の空間が確保されなければならないため、玄関などの狭いスペースに収納器具が設置された場合、蓋の開閉が困難になることもある。具体的には、開閉時の蓋が、周囲の壁面にぶつかって回動が阻害されてしまったり、あるいは、他の物品にぶつかって転倒させてしまうおそれがある。
【０００６】
たとえば、特許文献１に記載された収納部付きドアにおいては、蓋が開かれる際に、比較的全高の高い履き物、例えばブーツなどを転倒させてしまうおそれがある。また、ドアと収納部が一体化されているため、使用者がいわゆる後付けにて手軽に設置することができない。
【０００７】
また、特許文献２に記載されたドア用シューズケースは、回動する蓋の全長が比較的長いため、蓋を回動させる際に必要なスペースも大きくなる。そのため、使用者は、蓋を回動させる際に、ドアの一歩手前側に後退しなければならないという煩わしさがある。しかも、床面に靴などが多く存在している場合、使用者が手前側に後退することが必ずしも容易ではない場合もある。
【０００８】
上述されたように、通常、蓋が回動するタイプの収納器具が玄関などの狭いスペースに設置されると、使用者が蓋の開閉をできなかったり、あるいは蓋を開閉しづらいと感じてしまうことがある。しかしながら、狭いスペースにおいても、蓋が回動する向きによっては、蓋の回動が容易となる場合もある。たとえば、収納器具の右側にのみ障害物が存在している場合、蓋が左側に回動するのであれば、蓋の回動が阻害されることはない。
【０００９】
つまり、蓋が回動する向きを使用者が選択できれば、使用者は、蓋の回動が阻害されない向きに収納器具を設置することが可能である。本発明はそのような着眼に基づきなされたものであり、その目的は、玄関などの狭いスペースにも設置しやすい収納用ボックスを提供することにある。
【課題を解決するための手段】
【００１０】
(1) 本発明に係る収納用ボックスは、開口が設けられた前面部、背面部及びこれらの周縁に連続する周面部を有する中空箱形のケース本体と、上記周面部にヒンジを介して取り付けられ、上記ケース本体に対して回動することにより上記開口を開閉する蓋部材と、トレイ保持機構を介して上記ケース本体内に配置された平板形のトレイとを備える。上記トレイは、上記背面部の内面と対向する後面並びに当該後面の両端に連続する第１側面及び第２側面を有する。上記トレイ保持機構は、上記第１側面及び第２側面にそれぞれ突設された一対の支持ピンと、上記背面部に設けられ、上記各支持ピンを収容保持する一対のボスとを有する。上記トレイの載置面の方向を上記ケース本体に対して相対的に変化させるべく、複数対の上記ボスが上記背面部の異なる位置に設けられている。
【００１１】
ここで、トレイの載置面の方向とは、トレイの載置面が向けられる方向であり、例えば、トレイの載置面と直交する法線の方向として定義される。
【００１２】
この収納用ボックスは、たとえば玄関スペース、典型的には玄関ドアの内側面に取り付けられる。具体的には、玄関ドアの内側面に収納用ボックスの背面部が当接され、固定される。使用者が蓋部材を回動させることにより、当該蓋部材はケース本体の開口を開閉する。蓋部材が開かれた状態で、使用者は、小物を収納用ボックスに出し入れすることができる。
【００１３】
収納用ボックスは、使用者が所望する向きに設置される。すなわち、収納ボックスが玄関ドアの内側等に設置される場合、玄関スペースとの関係上、蓋部材が一定の向きに回動開閉されるように当該収納用ボックスが配置される必要がある。このような観点から、使用者は、収納用ボックスを設置する向きを選択する。例えば、使用者が蓋部材を向かって右側に回動させたい場合は、蓋部材の回動中心（ヒンジ）が向かって右側に位置するように収納用ボックスが設置される。トレイは、ケース本体の背面部に形成されたトレイ保持機構を介してケース本体に取り付けられている。具体的には、トレイに突設された支持ピンがケース本体の背面部に設けられたボスに支持される。これにより、トレイは、載置面が所定の方向となるようにケース本体内に配置される。上記支持ピンを支持するボスが上記背面部の異なる位置に設けられているから、上記支持ピンが他のボスに支持されることにより、上記載置面の方向が変更される。したがって、使用者は、収納用ボックスを設置する向きに関わらず、トレイの載置面を上向きとすることができる。
【００１４】
(2)  また、本発明に係る収納用ボックスは、開口が設けられた前面部、背面部及びこれらの周縁に連続する周面部を有する中空箱形のケース本体と、上記周面部にヒンジを介して取り付けられ、上記ケース本体に対して回動することにより上記開口を開閉する蓋部材と、トレイ保持機構を介して上記ケース本体内に配置された平板形のトレイとを備える。上記トレイは、上記背面部の内面と対向する後面並びに当該後面の両端に連続する第１側面及び第２側面を有する。上記トレイ保持機構は、上記第１側面及び第２側面にそれぞれ突設された一対の支持ピンと、上記背面部に設けられ、上記支持ピンが嵌め込まれる保持孔と、上記支持ピンを保持した状態で上記保持孔と係合する保持器とを有する。上記トレイの載置面の方向を上記ケース本体に対して相対的に変化させるべく、複数対の上記保持孔が上記背面部の異なる位置に設けられている。
【００１５】
この発明においても、収納用ボックスは、たとえば玄関スペース、典型的には玄関ドアの内側面に取り付けられ、使用者が蓋部材を回動させることにより、ケース本体の開口が開閉される。蓋部材が開かれた状態で、使用者は、小物を収納用ボックスに出し入れすることができる。前述のように、収納用ボックスは、使用者が所望する向きに設置される。例えば、使用者が蓋部材を向かって右側に回動させたい場合は、蓋部材の回動中心（ヒンジ）が向かって右側に位置するように収納用ボックスが設置される。トレイは、ケース本体の背面部に形成されたトレイ保持機構を介してケース本体に取り付けられている。
【００１６】
具体的には、保持器がトレイに突設された支持ピンが保持器を介してケース本体の背面部に設けられた保持孔に嵌め込まれる。すなわち、支持ピンが保持器により保持され、その状態で当該保持器が上記保持孔に嵌め込まれる。これにより、トレイは、載置面が所定の方向となるようにケース本体内に配置される。上記支持ピンが嵌合する保持孔が上記背面部の異なる位置に設けられているから、上記保持器が他の保持孔に嵌め込まれることにより、上記載置面の方向が変更される。したがって、使用者は、収納用ボックスを設置する向きに関わらず、トレイの載置面を上向きとすることができる。
【００１７】
(3)  上記支持ピンは、当該支持ピンの軸方向を中心として回動自在な状態で上記ボスに支持されていてもよい。また、上記支持ピンは、当該支持ピンの軸方向を中心として回動自在な状態で上記保持器に保持されていてもよい。
【００１８】
この構成によれば、上記トレイは、上記支持ピンの軸方向を回動中心として回動することができる。つまり、トレイは、載置面が背面部に沿うように姿勢が変化し得る。これにより、使用者は、トレイを使用する必要がないときは、トレイの姿勢を変化させて収納用ボックスの内部空間を有効に使用することができる。
【００１９】
(4)  上記トレイの第１側面及び第２側面の少なくとも一方に当該トレイの側縁を区画するリブが立設されていてもよい。また、当該リブは、少なくとも一つの切欠を備えているのが好ましい。
【００２０】
この構成では、トレイにリブが設けられることにより、トレイの剛性が向上すると共に載置面上にある小物がトレイから転落することが防止される。しかも、上記切欠が設けられることにより、当該切欠が他の小物を係止するためのフックないしアンカーとして機能する。
【００２１】
(5)  上記トレイの前面に当該トレイの前縁を区画するリブが立設されているのが好ましい。
【００２２】
この構成では、一層トレイの剛性が向上すると共に、載置面上にある小物がトレイの前縁から転落することも防止される。
【００２３】
(6)  上記後面が上記背面部と当接することにより、上記トレイの載置面は、上記後面から前面に向かって登り傾斜面となるのが好ましい。
【００２４】
トレイの載置面が上記後面から前面に向かって登り傾斜面となるから、当該載置面に載置された小物の転落がより確実に防止される。
【００２５】
(7)  上記ケース本体の背面部にマグネットが設けられていてもよい。
【００２６】
この構成では、収納用ボックスが玄関ドアの内側に簡単に取り付けられる。しかも、収納用ボックスの取付姿勢、すなわち蓋部材の開閉方向が、使用者の所望の方向に簡単に設定される。
【００２７】
(8)  上記蓋部材の外面の少なくとも一部が鏡面であるのが好ましい。
【００２８】
この構成では、使用者が外出等の際に、玄関にて身嗜みを整えることができる。
【００２９】
(9)  上記蓋部材の内面に、弾性的に伸縮自在な帯が張設されていてもよい。
【００３０】
これにより、当該帯が他の小物、郵便物等を係止することができる。
【００３１】
(10)  上記背面部の内側に少なくとも一つのフックが立設されていてもよい。
【００３２】
これにより、当該フックに他の小物、鍵等を係止することができる。
【発明の効果】
【００３３】
本発明に係る収納用ボックスによると、使用者は、周囲の空間との関係において、蓋部を回動させやすい向きに収納用ボックスを設置することができる。したがって、本発明に係る収納用ボックスは、例えば玄関先などの狭いスペースに設置することが容易である。
【図面の簡単な説明】
【００３４】
【図１】図１は、蓋１５０が閉位置にあるときの収納用ボックス１００を蓋１５０側から観察した斜視図である。
【図２】図２は、蓋１５０が閉位置にあるときの収納用ボックス１００をケース本体１１０側から観察した斜視図である。
【図３】図３は、蓋１５０が開位置にあるときの収納用ボックス１００の斜視図であり、トレイ１９０が使用位置にある状態を示すものである。
【図４】図４は、蓋１５０が開位置にあるときの収納用ボックス１００の斜視図であり、トレイ１９０が折畳位置にある状態を示すものである。
【図５】図５は、蓋１５０が開位置にあるときの収納用ボックス１００の正面図であり、ヒンジ１６０が右側に位置するように取り付けられた状態を示すものである。
【図６】図６は、蓋１５０が開位置にあるときの収納用ボックス１００の正面図であり、ヒンジ１６０が上側に位置するように取り付けられた状態を示すものである。
【図７】図７は、蓋１５０が開位置にあるときの収納用ボックス１００の正面図であり、ヒンジ１６０が左側に位置するように取り付けられた状態を示すものである。
【図８】図８は、蓋１５０が開位置にあるときの収納用ボックス１００の正面図であり、ヒンジ１６０が下側に位置するように取り付けられた状態を示すものである。
【図９】図９は、保持孔１３１周辺を拡大した斜視図である。
【図１０】図１０は、図５のａ−ａ切断線における断面図であり、トレイ保持機構１３０周辺の構造を示したものである。
【図１１】図１０は、図５のａ−ａ切断線における断面図であり、使用位置において載置面１９６と背面部１１１とがなす角度Ａを示すものである。
【図１２】図１２は、ゴムバンド１８１周辺を拡大した斜視図である。
【図１３】図１３は、トレイ１９０の斜視図である。
【図１４】図１４は、トレイ１９０の３面図である。（Ａ）が、前面１９４側から見た平面図であり、（Ｂ）が、載置面１９６側から見た正面図であり、（Ｃ）が、第２側面１９２側から見た側面図である。
【図１５】図１５は、変形例１に係るケース本体１１０の正面図である。
【図１６】図１６は、図１５のｂ−ｂ切断線における断面図である。
【図１７】図１７は、変形例１に係るケース本体１１０に、トレイ１９０を取り付ける様子を示した図である。
【発明を実施するための形態】
【００３５】
以下に、適宜図面が参照されて、本発明の好ましい実施形態が説明される。なお、以下に説明される実施形態は本発明の一例にすぎず、本発明の要旨を変更しない範囲で、本発明の実施形態が適宜変更できることは言うまでもない。
【００３６】
以下の説明では、収納用ボックス１００の蓋１５０が正面に位置するように載置された状態（図１の状態）において、上下を基準として上下方向３１０が定義され、蓋１５０が設けられた側を手前側として前後方向３２０が定義され、上下方向３１０及び前後方向３２０と直交する方向として左右方向３３０が定義される。また、以下の説明では、収納用ボックス１００の各部を説明する際に「内面」及び「外面」という表現が使用される。「内面」とは、蓋１５０が閉じられているときに、収納用ボックス１００の内部空間を区画する面であり、「外面」とは、蓋１５０が閉じられているときに、外部空間に接する面である。
【００３７】
［収納用ボックス１００の概略構成］
【００３８】
図３が示すように、この収納用ボックス１００は、ケース本体１１０と蓋１５０（本発明の蓋部材に相当）とを備えている。図１〜図４が示すように、ケース本体１１０は、中空箱形に形成されており、前面部（前後方向３２０の前端部）が開放されている。このような中空箱型に形成されたケース本体１１０に対して、蓋１５０が開閉自在に取り付けられている。蓋１５０は、ケース本体１１０の開口１１３を被覆する閉位置（図１の位置）から、図１の第１向き４１０に回動して、前面部の開口１１３を外部に開放する開位置（図３，図４の位置）まで姿勢変化する。また、蓋１５０は、開位置から、図３，図４の第２向き４２０に回動して、閉位置まで復帰することができる。
【００３９】
ケース本体１１０の内部にトレイ１９０（図３，図４）が装着される。トレイ１９０は、図５〜図８が示すように、ケース本体１１０に対して異なる向きに取り付けられる。また、蓋１５０は、図４が示すように、ケース本体１１０に取り付けられた状態で、載置面１９６（図３）が背面部１１１の内面に沿うように折り畳むことができる。以下、収納用ボックス１００を構成する各構成要素が、より詳細に説明される。
【００４０】
［ケース本体１１０］
【００４１】
図３，図４が示すように、ケース本体１１０は中空箱形を呈し、内部空間を有している。ケース本体１１０の前面部が開放されており、内部空間に繋がる開口１１３が形成されている。
【００４２】
ケース本体１１０は、背面部１１１と、背面部１１１の周縁に連続する周面部１１２とを有する。背面部１１１は、概ね正方形の外観を呈した平板である。図５が示すように、エッジ部分が曲面状に形成されている。周面部１１２は、背面部１１１の周縁から前後方向３２０の前方に延出された筒状体である。周面部１１２の前端縁１１５に沿って上述された開口１１３が形成されている。
【００４３】
ケース本体１１０の材質は、当業者が適宜選択することができる。その一例として、ケース本体１１０は、熱硬化性樹脂や熱可塑性樹脂によって成形されていてもよい。同様に、ケース本体１１０の各部の寸法も、当業者が適宜選択することができる。
【００４４】
周面部１１２の内面のうち、図３，図４における右側の面には、２つの支軸部１１６が形成されている。各支軸部１１６は、上下方向３１０に所定の間隔を空けて配置されている。支軸部１１６は、ケース本体１１０と一体化された概ね直方体形状を呈している。
【００４５】
図には示さないが、２つの支軸部１１６の前後方向３２０の前端部に回動軸が設けられている。各回動軸は、支持部１１６から上下方向に突出している。この回動軸は、後述される蓋１５０の２つの回動片１６１をそれぞれ回動可能に軸支している。支軸部１１６は、回動片１６１と共に、ケース本体１１０と蓋１５０とを連結するヒンジ１６０を構成している。周面部１１２の前端縁１１５に沿った２箇所がそれぞれ凹状に欠落している。回動片１６１は、周面部１１２が凹状に欠落された部分に設けられている。
【００４６】
周面部１１２の前端縁１１５の外面には、薄肉部１１４が形成されている。薄肉部１１４は、周面部１１２の厚みを薄くするように周面部１１２の外面に段差が形成された部分である。詳細は後述されるが、薄肉部１１４は、蓋１５０が閉位置にあるとき（図１，図２の状態）、蓋１５０の蓋周面部１５２に嵌め込まれて保持される。
【００４７】
図２が示すように、背面部１１１の外面には、シート状のマグネット１２０が取り付けられている。マグネット１２０は、例えば接着剤により背面部１１１に接着される。マグネット１２０は、収納用ボックス１００を、玄関ドアの内側に着脱自在とするものである。
【００４８】
図５が示すように、背面部１１１の内面に、トレイ保持機構１３０を介して、後述されるトレイ１９０が取り付けられている。前述のように、ケース本体１１０は、トレイ１９０を備えている。図５が示すように、トレイ１９０は、トレイ保持機構１３０を介して背面部１１１の内面に取り付けられている。トレイ保持機構１３０は、４つの保持孔１３１〜１３４と、２つの保持器１４０と、一対の支持ピン１９８，１９９（図１３，図１４参照）とにより構成されている。各保持孔１３１，１３３は、左右方向３３０に沿って対向配置され、他の一対の保持孔１３３，１３４は、上下方向３１０に沿って対向配置されている。図５が示すように、一対の保持器１４０は、保持孔１３１と保持孔１３３とに嵌め込まれている。支持ピン１９８，１９９は、保持器１４０に保持されたトレイ１９０に突設されている（図１３，図１４参照）。以下、トレイ保持機構１３０の構造が、より詳細に説明される。
【００４９】
図９及び図１０が示すように、保持孔１３１の周辺では、背面部１１１が数ミリ程度凸状に隆起されている。具体的には、図１０が示すように、背面部１１１が内側にＬ字状に隆起しており、この隆起した部分が保持孔１３１を区画している。また、上述されたように、背面部１１１の外面にマグネット１２０が取り付けられているため、ケース本体１１０は、保持孔１３１〜１３４によって完全には貫通されていない。図には示さないが、保持孔１３２〜１３４の構成は、保持孔１３１と同様である。
【００５０】
図１０が示す保持器１４０は、概ねＵ字状の外観を呈した留め具である。保持器１４０の先端部に突起１４１が形成されている。この突起１４１は、外側に向かって延びており、いわゆるバーブ状に形成されている。保持器１４０は、先端部から保持孔１３１〜１３４に嵌め込まれる。これにより、先端部の突起１４１は、上記背面部１１１に形成されたＬ字状の隆起部分に係合する。図１０が示すように、突起１４１の先端面１４２は、外径が漸次大きくなるように傾斜しているのが好ましい。当該先端面が傾斜していることにより、保持器１４０が保持孔１３１〜１３４に挿入される際に当該保持器１４０が一旦弾性変形して突起１４０同士が近接し、突起１４０が保持孔１３１〜１３４に挿入されたときに上記弾性変形が復帰することによって突起１４０が確実に背面部１１１に係合する。その際、保持器１４０が形成するアーチの内側には、トレイ１９０の支持ピン１９８，１９９が挿入され、この支持ピン１９８，１９９は、補持記１４０に対して回動自在に保持される。図１０においては、保持孔１３１に嵌め込まれた保持器１４０のみを示しているが、保持孔１３３にも同様に保持器１４０が嵌め込まれており、支持ピン１９９が保持されている。
【００５１】
保持孔１３１〜１３４に保持器１４０を嵌め込む際、使用者は、手指によって、トレイ１９０の支持ピン１９８，１９９を保持器１４０の内側に保持した状態とする。使用者は、その状態で保持器１４０の突起１４１を保持孔１３１〜１３４に挿入する。保持器１４０は、挿入時に保持孔１３１〜１３４の周縁によって押圧され、一時的にＵ字状の内側に圧縮される。保持孔１３１〜１３４を挿通した保持器１４０の形状が弾性的に復帰することで、図１０が示すように、突起１４１が保持孔１３１〜１３４の周縁と係合した状態となる。トレイ１９０及び支持ピン１９８，１９９については後述される。
【００５２】
［蓋１５０］
【００５３】
図３，図４が示すように、蓋１５０は、蓋前面部１５１と、蓋前面部１５１の周縁に連続する蓋周面部１５２とを有する。蓋前面部１５１は、ケース本体１１０の背面部１１１と概ね同じ形状及び寸法を有した平板である。蓋周面部１５２は、蓋前面部１５１の周縁に連続して形成されており、当該周縁に立設されている。蓋周面部１５２の高さは、前後方向３２０における薄肉部１１４の長さと同じか僅かに長い。
【００５４】
蓋前面部１５１の内面から、ヒンジ１６０を構成する２つの回動片１６１が立設されている。回動片１６１は、蓋周面部１５２に沿って２つが離間されて設けられている。回動片１６１は、それぞれ周面部１１２が凹状に欠落された部分に位置しており、その位置において、上記回動軸がこの２つの回動片１６１に嵌め込まれている。すなわち、各回動片１６１が上記回動軸によってそれぞれ軸支され、回動自在となっている。これにより、蓋１５０は、ヒンジ１６０によって、ケース本体１１０に対して回動可能に連結されている。
【００５５】
図１，図２が示すように、蓋１５０が閉位置にある場合において、ケース本体１１０の背面部１１１と蓋前面部１５１とは、前後方向３２０において対向している。蓋周面部１５２は、前後方向３２０の後方、つまり、ケース本体１１０側に延出されている。薄肉部１１４が、蓋周面部１５２の内側に嵌め込まれている。これにより、ケース本体１１０の開口１１３が蓋１５０によって被覆されて、内部空間が外部から遮断されている。
【００５６】
ケース本体１１０の周面部１１２と蓋周面部１５２との接合部分は、前後方向３２０において概ね段差なく連続している。つまり、ケース本体１１０の周面部１１２と蓋周面部１５２とが一体となって、収納用ボックス１００の周面を形成している。収納用ボックス１００は、ケース本体１１０と蓋１５０とによって、エッジ部分が曲面状に形成されている点以外は概ね直方体の外観を呈した状態となっている。
【００５７】
図３，図４が示すように、蓋１５０が開位置にある場合において、蓋１５０は、ケース本体１１０の開口１１３に対して、所定の角度をなして開かれている。蓋１５０の第１向き４１０への回動は、回動片１６１が周面部１１２の一部と当接することによって規制されている。
【００５８】
蓋１５０の材質は、当業者が適宜選択することができる。その一例として、蓋１５０は、熱硬化性樹脂や熱可塑性樹脂によって成形されていてもよい。同様に、蓋１５０の各部の寸法も、当業者が適宜選択することができる。
【００５９】
図１が示すように、蓋前面部１５１の外面に、ミラー１７０（本発明の鏡面に相当）が取り付けられている。ミラー１７０には、ガラス製のミラーが使用されてもよいが、軽量性や割れにくさ等の点から、アクリルミラーが使用されてもよい。ミラー１７０は、例えば蓋前面部１５１の外面に接着されて取り付けられてもよい。
【００６０】
図３，図４，図１２が示すように、蓋前面部１５１の内面には、帯状のゴムバンド１８１（本発明の帯に相当）が張設されている。ゴムバンド１８１は、バンド取付部１８２によって、両端を蓋前面部１５１の内面に留められている。バンド取付部１８２において、蓋前面部１５１の内面に形成された突起に対して、留め具が嵌め込まれている。ゴムバンド１８１は、上記突起と留め具とにより挟み込まれている。ゴムバンド１８１は、通常状態から一定の長さだけ伸長された状態で、両端をバンド取付部１８２に留められている。ゴムバンド１８１は、収納用ボックスに直接収納しにくい小物、郵便物等を蓋前面部１５１の内面に係止するものである。
【００６１】
［トレイ１９０］
【００６２】
図１３，図１４が示すように、トレイ１９０は、概ね矩形の外観を呈する平板である。トレイ１９０の第１側面１９１及び第２側面１９２に側壁１９３（本発明の側縁を区画するリブに相当）が立設されている。本実施形態では、この側壁１９３は、載置面１９６側から１ｃｍ程度突出されている。また、前面１９４には、載置面１９６側に先端壁１９７（本発明の前縁を区画するリブに相当）が立設されている。先端壁１９７は、トレイ１９０の長手方向の中央周辺に形成されており、先端が曲線状に形成されている。側壁１９３及び先端壁１９７は、トレイ１９０の剛性を高めると共に、載置面１９６に載置された物品が載置面１９６から落下することを防止するものである。
【００６３】
２つの側壁１９３における前面１９４付近には、それぞれ切欠２００が形成されている。切欠２００は、側壁１９３が凹条に欠落された部分である。切欠２００は、例えば、紐付きの鍵などの他の小物を係止するためのフックないしアンカーとして機能するものである。本実施形態においては２つの側壁１９３に切欠２００が形成されているが、どちらか一方の側壁１９３にのみ形成されていてもよい。
【００６４】
上記一致の支持ピン１９８、１９９は、第１側面１９１及び第２側面１９２から外方に突出されており、したがって、各支持ピン１９８、１９９は、互いに離反するように延びている。支持ピン１９８，１９９は、前面１９４と対向する後面１９５の近傍に配置されている。本実施敬形態では、支持ピン１９８，１９９は、外径が５ｍｍ程度、長さが８ｍｍ程度の円柱状である。上述されたように、トレイ１９０がケース本体１１０に取り付けられた状態では、支持ピン１９８，１９９は、保持孔１３１〜１３４に保持された状体で背面部１１に嵌め込まれている。
【００６５】
支持ピン１９８，１９９は、上述された保持器１４０によって囲繞される。そのため、トレイ１９０は、支持ピン１９８，１９９を回動中心として回動することができる。詳細には、トレイ１９０は、図３が示す使用位置から第３向き４３０に回動して、図４が示す折畳位置まで姿勢変化することができる。同様に、トレイ１９０は、折畳位置から、図４が示す第４向き４４０に回動して、使用位置まで復帰することができる。
【００６６】
図１１が示すように、使用位置は、トレイ１９０の載置面１９６が、後面１９５から前面１９４に向かって上り傾斜面とされる位置である。つまり、トレイ１９０の載置面１９６と背面部１１１の内面とがなす角度Ａが鋭角であり、好適には、８０°〜８５°程度である。この傾斜は、載置面１９６に載置された小物類が前面１９４から落下することを防止するものである。トレイ１９０の第４向き４４０への回動は、後面１９５が背面部１１１の内面と当接することによって制止されている。
【００６７】
図４が示すように、折畳位置は、トレイ１９０の載置面１９６が背面部１１１の内面に沿うように起立された位置である。使用者は、トレイ１９０を使用せずに小物類を収納する場合、トレイ１９０が邪魔にならないようにトレイ１９０を折畳位置とする。
【００６８】
トレイ１９０の材質は、当業者が適宜選択することができる。その一例として、トレイ１９０は、熱硬化性樹脂や熱可塑性樹脂によって成形されていてもよい。同様に、トレイ１９０の各部の寸法も、当業者が適宜選択することができる。
【００６９】
［トレイ１９０の取り付け］
【００７０】
使用者は、収納用ボックス１００の取付姿勢を図５〜図８が示す４種類の中から選ぶことができる。収納用ボックス１００の取付姿勢によって、ヒンジ１６０は、左右方向３３０又は上下方向３１０における左側、右側、上側、又は下側のいずれかに位置する。つまり、収納用ボックス１００の取付姿勢によって、蓋１５０が回動する方向がそれぞれ異なる。
【００７１】
図５，図７が示すように、ヒンジ１６０が向かって左右方向３３０の右側又は左側に位置するように収納用ボックス１００が設置される場合、使用者は、トレイ１９０をケース本体１１０に取り付けるために、一対の保持孔１３１，１３３を使用する。その際、トレイ１９０は、載置面１９６が、使用位置において、上下方向３１０の上方を向くように取り付けられる。
【００７２】
例えば、図５が示すように、ヒンジ１６０が向かって左右方向３３０の右側に位置するように収納用ボックス１００が設置される場合、支持ピン１９８が保持孔１３１に取り付けられた保持器１４０によって保持され、支持ピン１９９が保持孔１３３に取り付けられた保持器１４０によって保持される。一方、図７が示すように、ヒンジ１６０が向かって左右方向３３０の左側に位置するように収納用ボックス１００が設置される場合、支持ピン１９９が保持孔１３１に取り付けられた保持器１４０によって保持され、支持ピン１９８が保持孔１３３に取り付けられた保持器１４０によって保持される。
【００７３】
図６，図８が示すように、ヒンジ１６０が向かって上下方向３１０の上側又は下側に位置するように収納用ボックス１００が設置される場合、使用者は、トレイ１９０をケース本体１１０に取り付けるために、一対の保持孔１３２，１３４を使用する。その際、トレイ１９０は、載置面１９６が、使用位置において、上下方向３１０の上方を向くように取り付けられる。
【００７４】
例えば、図６が示すように、ヒンジ１６０が向かって上下方向３１０の上側に位置するように収納用ボックス１００が設置される場合、支持ピン１９９が保持孔１３２に取り付けられた保持器１４０によって保持され、支持ピン１９８が保持孔１３４に取り付けられた保持器１４０によって保持される。一方、図８が示すように、ヒンジ１６０が向かって上下方向３１０の下側に位置するように収納用ボックス１００が設置される場合、支持ピン１９８が保持孔１３２に取り付けられた保持器１４０によって保持され、支持ピン１９９が保持孔１３４に取り付けられた保持器１４０によって保持される。
【００７５】
以上のように、収納用ボックス１００が図５〜図８が示すいずれの取付姿勢に設置される場合においても、使用者は、使用位置にあるトレイ１９０の載置面１９６が、上下方向３１０の上方を向くようにトレイ１９０をケース本体１１０に取り付ける。
【００７６】
［実施形態の作用効果］
【００７７】
本実施形態に係る収納用ボックス１００は、トレイ１９０が、載置面１９６が４つの方向のうちのいずれかを向けられてケース本体１１０内に配置される。支持ピン１９８，１９９を支持する保持器１４０が背面部１１１の異なる位置に取り付け可能であるため、使用位置における載置面１９６の方向が変更される。したがって、使用者は、収納用ボックス１００を設置する向きに関わらず、使用位置におけるトレイ１９０の載置面１９６を上向きとすることができる。
【００７８】
また、トレイ１９０は、支持ピン１９８，１９９の軸方向を回動中心として回動することができる。つまり、トレイ１９０は、載置面１９６が背面部１１１に沿うように姿勢が変化し得る。これにより、使用者は、トレイ１９０を使用する必要がないときは、トレイ１９０の姿勢を折畳位置に変化させて収納用ボックス１００の内部空間を有効に使用することができる。
【００７９】
また、トレイ１９０に側壁１９３が設けられることにより、トレイの剛性が向上すると共に載置面上にある小物がトレイから転落することが防止される。しかも、切欠２００が設けられることにより、切欠２００が他の小物を係止するためのフックないしアンカーとして機能する。
【００８０】
また、トレイ１９０の前面１９４に先端壁１９７が立設されているため、一層トレイ１９０の剛性が向上すると共に、載置面１９６上にある小物がトレイの前縁から転落することも防止される。
【００８１】
また、使用位置において、トレイ１９０の載置面１９６が後面１９５から前面１９４に向かって登り傾斜面となるから、載置面１９６に載置された小物の転落がより確実に防止される。
【００８２】
また、ケース本体１１０の背面部１１１にマグネット１２０が設けられているため、収納用ボックス１００が玄関ドアの内側に簡単に取り付けられる。しかも、収納用ボックス１００の取付姿勢、すなわち蓋部材の開閉方向が、使用者の所望の方向に簡単に設定される。
【００８３】
また、蓋前面部１５１の外面にミラー１７０が取り付けられているため、使用者が外出等の際に、玄関にて身嗜みを整えることができる。
【００８４】
また、蓋前面部１５１の内面にゴムバンド１８１が張設されているため、他の小物、郵便物等を係止することができる。
【００８５】
［変形例１］
【００８６】
上述された実施形態の１つ目の変形例が以下に説明される。上述された実施形態では、トレイ１９０をケース本体１１０に取り付けるために、保持孔１３１〜１３４及び保持器１４０が使用された。一方、本変形例では、トレイ１９０をケース本体１１０に取り付けるために、背面部１１１の内面にボス２１１〜２１４が立設されている。つまり、本変形例では、ボス２１１〜２１４と支持ピン１９８，１９９とによって、トレイ保持機構２４０が形成されている。
【００８７】
図１５が示すように、４つのボス２１１〜２１４は、上述された実施形態において、保持孔１３１〜１３４が形成されていた位置に、保持孔１３１〜１３４に代わって設けられている。つまり、ボス２１１〜２１４は、左右方向３３０及び上下方向３１０に一対ずつが対向配置されている。
【００８８】
図１６及び図１７が示すように、ボス２１１〜２１４は、それぞれ背面部１１１と一体に形成されており、略Ｙ字状を呈している。以下、ボス２１１について説明する。
【００８９】
図１６が示すように、ボス２１１は、背面部１１１から立設された支柱２１１Ｃと、支柱２１１Ｃから連続する保持部２１１Ａ，２１１Ｂとを有する。保持部２１１Ａ，２１１Ｂは、支柱２１１Ｃの先端から相反する向きに円弧状に展開されている。保持部２１１Ａ，２１１Ｂの先端と、背面部１１１との隙間は、支持ピン１９８，１９９の外径よりも僅かに狭くなっている。この隙間が、それぞれ導入口２１５と称される。導入口２１５は、それぞれ支持ピン１９８，１９９を保持部２１１Ａ，２１１Ｂの内側に導入するための隙間である。詳細には、保持部２１１Ａによって形成された導入口２１５から支持ピン１９８を導入可能であり、保持部２１１Ｂによって形成された導入口２１５から支持ピン１９９を導入可能である。導入口２１５から導入された支持ピン１９８，１９９は、支柱２１１Ｃと、保持部２１１Ａ又は保持部２１１Ｂとによって外周を囲繞されて回動可能に保持される。
【００９０】
例えば、使用者は、図１７の矢印２３０の方向から、支持ピン１９８を保持部２１１Ａの内側に導入することができる。その際、使用者は、支持ピン１９８を導入口２１５に押し当てて押圧する。それにより、保持部２１１Ａの先端が外側に湾曲される。つまり、導入口２１５が押し拡げられる。支持ピン１９８は、導入口２１５を通過可能となり、保持部２１１Ａの内側に導入される。保持部２１１Ａが元の形状に復帰して、支持ピン１９８が保持部２１１Ａの内側に保持される。なお、保持部２１１Ｂに支持ピン１９９を保持させる場合も同様の方法が使用される。
【００９１】
以上、ボス２１１のみを説明したが、ボス２１２〜２１４は、ボス２１１と同様の構成となっている。つまり、ボス２１２〜２１４は、それぞれ同様の支柱（図１７に支柱２１４Ｃのみ図示）を有している。また、ボス２１２〜２１４は、それぞれ２つの保持部２１２Ａ，２１２Ｂ，２１３Ａ，２１３Ｂ，２１４Ａ，２１４Ｂ（図１５）を有している。
【００９２】
各ボス２１１〜２１４が有する２つの保持部２１２Ａ，２１２Ｂ，２１３Ａ，２１３Ｂ，２１４Ａ，２１４Ｂは、対向する相手側のボス２１１〜２１４が有する２つの保持部２１２Ａ，２１２Ｂ，２１３Ａ，２１３Ｂ，２１４Ａ，２１４Ｂと互いに対向している。図１５の例では、ボス２１１とボス２１３については、保持部２１１Ａと保持部２１３Ａとが対向し、保持部２１１Ｂと保持部２１３Ｂとが対向している。ボス２１２とボス２１４については、保持部２１２Ａと保持部２１４Ａとが対向し、保持部２１２Ｂと保持部２１４Ｂとが対向している。
【００９３】
収納用ボックス１００の取付姿勢、及びトレイ１９０がケース本体１１０に取り付けられる方向は、上述された実施形態のものと同様であり、図５〜図８に示した４通りである。トレイ１９０をケース本体１１０に取り付ける際、使用者は、左右に対向する二対の保持部（図１５では、保持部２１１Ａと保持部２１３Ａ、及び保持部２１１Ｂと保持部２１３Ｂ）のうち、上方に位置する一対（図１５では、保持部２１１Ａと保持部２１３Ａ）に支持ピン１９８，１９９をそれぞれ保持させる。つまり、保持部２１１Ａに支持ピン１９８が保持させ、保持部２１３Ａに支持ピン１９８を保持させる。
【００９４】
また、図１５，図１７が示すように、背面部１１１の内面に計４つのフック２２０が立設されている。フック２２０は、背面部１１１の４隅近傍にそれぞれ１つずつ配置されている。フック２２０はそれぞれ、その先端側が相反する向き（図１５における外側）を向くように配置されている。
【００９５】
本変形例に係る収納用ボックス１００の構成は、これらの相違点を除いて、上述された実施形態と同様のものである。
【００９６】
本変形例によると、上述された実施形態のような保持器１４０を使用しないため、紛失のおそれがなく、トレイの装着や取外しが一層容易に行われる。
【００９７】
また、収納用ボックスが図５〜図８が示すいずれの取付姿勢に設置されたとしても、上方の２つのフック２２０の先端が斜め上方を向けられるため、使用者は、フック２２０に他の小物、鍵等を係止することができる。
【００９８】
［その他の変形例］
【００９９】
上述された実施形態に係る収納用ボックス１００は、蓋が閉位置にあるときに、概ね直方体形状を呈するものであるが、収納用ボックス１００の形状はこれに限定されるものではない。同様に収納用ボックス１００の材質や各部の寸法なども当業者が適宜決定してもよい。例えば、収納用ボックス１００は前後方向３２０の前方から見て、円形や三角形の形状を呈していてもよい。また、収納用ボックス１００は、収容された小物類が外部から視認可能となるように、半透明なアクリル素材によって製造されていてもよい。
【０１００】
また、背面部１１１に形成される保持孔１３１〜１３４やボス２１１〜２１４の数は、必ずしも４つである必要はない。背面部１１１の内面にさらに多くの保持孔１３１〜１３４やボス２１１〜２１４が設けられることで、トレイ１９０をケース本体１１０に取り付け可能な向きをさらに多くすることができる。それに伴い、トレイ１９０の載置面１９６が上方を向けられた状態での収納用ボックス１００の取付姿勢を更に多くすることができる。例えば、収納用ボックス１００の取付姿勢は、図５〜図８が示す４通りだけではなく、例えば、蓋１５０が斜め方向に回動するような向きであってもよい。
【０１０１】
また、ケース本体１１０がトレイ１９０を支持する構造は、保持孔１３１〜１３４やボス２１１〜２１４を有した構造に限定されるものではなく、トレイ１９０を背面部１１１の内面に係止可能なものであれば、他の構造が使用されてもよい。
【０１０２】
また、上述された実施形態において、ケース本体１１０の背面部１１１にマグネット１２０が設けられていたが、収納用ボックス１００を玄関ドアに取り付けるために、異なる手段が使用されてもよい。例えば、収納用ボックス１００は、フックや粘着テープなどによって玄関ドアに取り付けられてもよい。
【符号の説明】
【０１０３】
１００・・・収納用ボックス
１１０・・・ケース本体
１１１・・・背面部
１１２・・・周面部
１１３・・・開口
１２０・・・マグネット
１３０・・・トレイ保持機構
１３１，１３２，１３３，１３４・・・保持孔
１４０・・・保持器
１５０・・・蓋（蓋部）
１６０・・・ヒンジ
１７０・・・ミラー（鏡面）
１８１・・・ゴムバンド（帯）
１９０・・・トレイ
１９１・・・第１側面
１９２・・・第２側面
１９３・・・側壁（側縁を区画するリブ）
１９４・・・前面
１９５・・・後面
１９６・・・載置面
１９７・・・先端壁（前縁を区画するリブ）
１９８，１９９・・・支持ピン
２００・・・切欠
２１１，２１２，２１３，２１４・・・ボス
２２０・・・フック
２４０・・・トレイ保持機構
【図１】
2013023927.tif 000003
【図２】
2013023927.tif 000004
【図３】
2013023927.tif 000005
【図４】
2013023927.tif 000006
【図５】
2013023927.tif 000007
【図６】
2013023927.tif 000008
【図７】
2013023927.tif 000009
【図８】
2013023927.tif 000010
【図９】
2013023927.tif 000011
【図１０】
2013023927.tif 000012
【図１１】
2013023927.tif 000013
【図１２】
2013023927.tif 000014
【図１３】
2013023927.tif 000015
【図１４】
2013023927.tif 000016
【図１５】
2013023927.tif 000017
【図１６】
2013023927.tif 000018
【図１７】
2013023927.tif 000019